(57)【要約】【課題】床表面に親水性塗料をコーティングすることで、水玉状の残水が発生することを防止でき、且つ洗い場床と壁パネルとの間を止水するためのシリコンが長期にわたって剥がれにくい浴室用床パネルを提供する。【解決手段】ユニットバスの一部として組み込まれる浴室用床パネルであって、前記浴室用床パネルの外周部に形成された壁パネルを載置するための壁載部と、前記壁載部に壁パネルが設置された状態で、前記壁パネル下端と前記床パネル上面との間を水密的に塞ぐためのシリコンが充填されるシリコン充填部と、を備え、前記床パネルの表面には、前記シリコン充填部と接触しないように親水性塗料がコーティングされていることを特徴とする浴室用床パネル。。【選択図】図２
2010053613.tif 000002
【特許請求の範囲】
【請求項１】
ユニットバスの一部として組み込まれる浴室用床パネルであって、
前記浴室用床パネルの外周部に形成された壁パネルを載置するための壁載部と、
前記壁載部に壁パネルが設置された状態で、前記壁パネル下端と前記床パネル上面との間を水密的に塞ぐためのシリコンが充填されるシリコン充填部と、を備え、
前記床パネルの表面には、前記シリコン充填部と接触しないように親水性塗料がコーティングされていることを特徴とする浴室用床パネル。
【請求項２】
ユニットバスの一部として組み込まれる浴室用床パネルであって、
前記浴室用床パネルの外周部に形成された壁パネルを載置するための壁載部と、
前記壁載部に壁パネルが設置された状態で、前記壁パネルと前記床パネル表面との間を水密的に塞ぐためのシリコンが充填されるシリコン充填部と、を備え、
前記シリコン充填部および前記シリコン充填部より内方側に位置する床パネルの表面には親水性塗料で形成されたコーティング部が形成されており、
前記シリコン充填部上には、前記シリコンとの密着性を高めるための処理剤が前記コーティング部を覆うように塗布されていることを特徴とする浴室用床パネル。
【発明の詳細な説明】
【技術分野】
【０００１】
本発明は、浴室用床パネルに関する。
【背景技術】
【０００２】
入浴行為などで浴室を使用した後に、洗い場床の表面に水玉状の残水が発生することを防止するために、洗い場床の表面に親水性塗料をコーティングする技術が開示されている（特許文献１参照）。親水性塗料をコーティングすることにより、水に対する濡れ性を高めることができる。
【特許文献１】特開２００３−２１３８９７号公報
【特許文献２】特開２００３−７４１７４号公報
【発明の開示】
【発明が解決しようとする課題】
【０００３】
しかしながら、親水性塗料がコーティングされている部分に、シリコンを塗布した場合、シリコンに水がかかると、シリコンが剥がれる場合がある。シリコンが剥がれると、止水性が失われるため、本来、止水しなければならない部分に水が浸入することとなり好ましくない。
【０００４】
本発明は上述の問題に鑑みてなされ、床表面に親水性塗料をコーティングすることで、水玉状の残水が発生することを防止でき、且つ洗い場床と壁パネルとの間を止水するためのシリコンが長期にわたって剥がれにくい浴室用床パネルを提供する。
【課題を解決するための手段】
【０００５】
本発明の一態様によれば、ユニットバスの一部として組み込まれる浴室用床パネルであって、前記浴室用床パネルの外周部に形成された壁パネルを載置するための壁載部と、前記壁載部に壁パネルが設置された状態で、前記壁パネル下端と前記床パネル上面との間を水密的に塞ぐためのシリコンが充填されるシリコン充填部と、を備え、前記床パネルの表面には、前記シリコン充填部と接触しないように親水性塗料がコーティングされていることを特徴とする浴室用床パネルが提供される。
【０００６】
また、本発明の一態様によれば、ユニットバスの一部として組み込まれる浴室用床パネルであって、前記浴室用床パネルの外周部に形成された壁パネルを載置するための壁載部と、前記壁載部に壁パネルが設置された状態で、前記壁パネルと前記床パネル表面との間を水密的に塞ぐためのシリコンが充填されるシリコン充填部と、を備え、前記シリコン充填部および前記シリコン充填部より内方側に位置する床パネルの表面には親水性塗料で形成されたコーティング部が形成されており、前記シリコン充填部上には、前記シリコンとの密着性を高めるための処理剤が前記コーティング部を覆うように塗布されていることを特徴とする浴室用床パネルが提供される。
【発明の効果】
【０００７】
本発明によれば、床表面に親水性塗料をコーティングすることで、水玉状の残水が発生することを防止でき、且つ洗い場床と壁パネルとの間を止水するためのシリコンが長期にわたって剥がれにくい浴室用床パネルが提供される。
【発明を実施するための最良の形態】
【０００８】
本発明における第１の発明は、ユニットバスの一部として組み込まれる浴室用床パネルであって、前記浴室用床パネルの外周部に形成された壁パネルを載置するための壁載部と、前記壁載部に壁パネルが設置された状態で、前記壁パネル下端と前記床パネル上面との間を水密的に塞ぐためのシリコンが充填されるシリコン充填部と、を備え、前記床パネルの表面には、前記シリコン充填部と接触しないように親水性塗料がコーティングされていることを特徴とする浴室用床パネルである。
【０００９】
親水性塗料がコーティングされていない床パネルの表面は撥水性を呈している。これは、ユニットバスに用いられる床パネルとしての防水性、耐水性、耐磨耗性、耐衝撃性、耐薬品性などの基本性能を満足するための材料としてＦＲＰ（Fiber Reinforced Plastic）が用いられているからである。表面が撥水性を呈する床パネルは、入浴行為などで使用した水が、水玉状になって残る。水玉状の残水は、表面積の割に体積が大きいため、翌朝になっても、乾燥していないことがある。
【００１０】
一方、本発明のように、床パネルの表面に親水性塗料をコーティングすることで、床パネルの表面には水玉状の残水が発生しにくくなる。親水性塗料の具体例としては、例えば、−ＯＨ、−Ｏ−、−ＮＨＣＯ−、−ＣＯＮＨ２、−ＣＯＯＨ、−ＳＯ３Ｈ、−ＯＰＯ（ＯＨ）２、−ＮＨ２、−ＮＨ−、−ＮＲ２等の親水性基をもつポリマーと溶媒とから構成される親水性塗料が挙げられる。
【００１１】
また、床パネル上面と壁パネル下端との間には、その隙間を止水するためにシリコンを塗布する必要がある。シリコンが塗布される床パネルの表面を、シリコン充填部とする。シリコン充填部に親水性塗料がコーティングされていると、硬化したシリコンが剥がれることがある。
【００１２】
具体的には、液体状のシリコンを上記隙間に塗布し、１０時間以上放置して硬化させる。硬化後のシリコンは乾燥（水に触れていない）状態では、手で剥がそうとしてもシリコンは剥がれない。つまり、シリコンは充分に接着されている。一方、浸水（水に触れている）状態では、シリコンとコーティング部の間に水が入り込み、シリコンを浮かび上がらせ、接着性が失われる。つまり、手で軽く引っ張っただけで、シリコンと床パネル表面との境界でシリコンが剥離してしまう。シリコンの接着性が失われると、止水性がなくなることになり、好ましくない。
【００１３】
上記問題に鑑み、本発明の第１の実施形態によれば、床パネルのシリコン充填部に位置する表面には、親水性塗料をコーティングしないようにした。よって、浸水状態においてもシリコンが剥がれないようにすることが可能となった。尚、床パネルのシリコン充填部は、床のベース素材（FRP）が露出することとなる。
【００１４】
本発明の第２の発明は、床パネルのシリコン充填部に位置する表面に、親水性塗料をコーティングした場合であっても、シリコンとの密着性を高めるための処理剤をコーティング部を覆うように塗布することで、浸水状態においてもシリコンが剥がれないようにすることが可能となる。
【００１５】
シリコンとの密着性を高める処理剤の主成分はウレタン系を始め、エポキシ系、シラン系等が挙げられる。
【００１６】
以下に、本発明の実施形態について、図面を用いて説明する。図１は、本発明の実施形態に係るユニットバス内の斜視図である。  
【００１７】
ユニットバスは、ＦＲＰ（Fiber Reinforced Plastic）等の撥水性を呈する床パネル５と、床パネル５の隣に隣接して設置される浴槽２００と、床パネル５および浴槽２００からなる外縁部に立設される壁パネル２０と、壁パネル２０上部に取り付けられる天井パネルとから水密的な空間が構成されている。
【００１８】
床パネル５の浴槽側外周部には、床パネル５上の水を集水するための縦断面視凹状の排水口部５０が形成されている。床パネル５の表面は、排水口部５０に向かって下り勾配となっており、床パネル５の表面に落ちた水は、勾配に沿って排水口部５０に排水される。排水口部５０に流入した水は、排水口部５０の底面に形成された開口から排水トラップを経て、ユニットバス外部に排出される。尚、床パネル５に面する壁パネル２０には水栓金具とシャワーホースとシャワーヘッドからなるシャワー装置１００が取設されている。
【００１９】
図２に示すように、床パネル５の外周部には壁パネル２０を載置するための壁載部１０が形成されている。さらに、壁載部１０より外方側に位置する外縁部（外側端部）には水返しとして機能する側壁２５が形成されている。壁載部１０は、壁載部１０より内側に位置する床パネル５上面と略同一高さに形成されており、段差が形成されていない。このことにより、浴室出入口部の段差を小さくすることが可能となる。
【００２０】
ここで、床パネル５の表面には特定の一部を除いて、親水性塗料がコーティングされている。具体的には、床パネル表面と壁パネル下端との間の止水を取るためのシリコン充填部には、親水性塗料がコーティングされていない（親水塗料非コーティング部）。一方、ユニットバス内に面するシリコン充填部より内方側に位置する床パネル５の表面には親水性塗料がコーティングされている（親水塗料コーティング部１５）。
【００２１】
シリコン充填部１２に親水性塗料がコーティングされていない床パネル５を製造するには、予めシリコン充填部１２にマスキングシートを貼着しておき、その状態で親水性塗料をコーティングすることで得られる。
【００２２】
このようにすることで、床パネル５の表面に親水性塗料をコーティングした場合であっても、シリコン充填部１２に塗布されたシリコンが長期にわたって剥離することを防止できる。
【００２３】
次に、本発明における第２の実施形態について説明する。本実施形態では、床パネル５のシリコン充填部１２にも親水性塗料がコーティングされている。上述したように、親水性塗料がコーティングされた部分に、シリコンを塗布すると、乾燥状態では接着されていても、水がかかるとシリコンと床パネル５表面の接着が手で軽く引っ張っただけで剥がれてしまうことがある。
【００２４】
本実施形態によれば、親水性塗料がコーティングされたシリコン充填部１２の表面に、シリコン３０との密着性を高めるための処理剤が塗布している。シリコン充填部１２のみに処理剤を塗布するには、シリコン充填部１２以外の床パネル５表面をマスキングシートで覆った状態にすることで製造できる。
【００２５】
このようにすることで、床パネル５の表面に親水性塗料をコーティングした場合であっても、シリコン充填部１２のシリコン３０が長期にわたって剥離することを防止できる。
【図面の簡単な説明】
【００２６】
【図１】本発明の実施形態に係るユニットバス内の斜視図。
【図２】第１の実施形態における床パネルの断面図。
【図３】第１の実施形態における床パネルの平面図。
【符号の説明】
【００２７】
５…床パネル、１０…壁載部、１２…シリコン充填部、１５…親水塗料コーティング部、  １６…親水塗料非コーティング部、  ２０…壁パネル、  ２５…側壁、３０…シリコン、  ５０…排水口部、１００…シャワー装置、２００…浴槽、
【図１】
2010053613.tif 000003
【図２】
2010053613.tif 000004
【図３】
2010053613.tif 000005